【手続補正書】
【提出日】平成18年10月26日(2006.10.26)
【手続補正１】
【補正対象書類名】明細書
【補正対象項目名】特許請求の範囲
【補正方法】変更
【補正の内容】
【特許請求の範囲】
【請求項１】  物体側から順に、正の第１群と正の第２群と負の第３群とを有し、前記第２群が物体側より前群と後群とよりなり、広角端から望遠端に変倍する際各群を物体側へ移動するレンズ系で、下記条件（１）、（２）、（３）、（４）を満足する小型高変倍ズームレンズを備えたカメラ。
（１）  ０．５５≦ＬＴ／ｆＴ≦０．７５
（２）  ２．６≦ｆ１／｜ｆ３｜≦４．５
（３）  ０．３５≦｜ｆ３｜／ｆ２≦０．６３
（４）  ０．７３≦ｆ２Ｒ／ｈ≦１．５０
ただし、ＬＴは望遠端における最も物体側の面から像面までの近軸距離、ｆＴは望遠端における全系の焦点距離、ｆ１、ｆ２、ｆ３は夫々第１群、第２群、第３群の焦点距離、ｆ２Ｒは第２群の後群の焦点距離、ｈは最大像高である。
【請求項２】  物体側から順に、正の第１群と正の第２群と負の第３群とを有し、広角端から望遠端に変倍する際各群を物体側へ移動するレンズ系で、下記条件（１）、（５）、（６）を満足する小型高変倍ズームレンズを備えたカメラ。
（１）  ０．５５≦ＬＴ／ｆＴ≦０．７５
（５）  ０．４５≦｜Ｒ３ｆ｜／ｈ≦７．０
（６）  ０．２９≦（Ｒ２ｒ×Ｒ３ｆ）／ｈ2≦３．５
ただし、ＬＴは望遠端における最も物体側の面から像面までの近軸距離、ｆＴは望遠端における全系の焦点距離、Ｒ２ｒは第２群の最も像側の面の曲率半径、Ｒ３ｆは第３群の最も物体側の面の曲率半径、ｈは最大像高である。
【請求項３】  物体側から順に、正の第１群と正の第２群と負の第３群とを有し、広角端から望遠端に変倍する際各群を物体側へ移動するレンズ系で、前記第２群中に絞りが配置され第２群が物体側より前群と後群とよりなり、下記条件（２）、（３）、（４）を満足する小型高変倍ズームレンズを備えたカメラ。
（２）  ２．６≦ｆ１／｜ｆ３｜≦４．５
（３）  ０．３５≦｜ｆ３｜／ｆ２≦０．６３
（４）  ０．７３≦ｆ２Ｒ／ｈ≦１．５０
ただし、ｆ１、ｆ２、ｆ３は夫々第１群、第２群、第３群の焦点距離、ｆ２Ｒは第２群の後群の焦点距離、ｈは最大像高である。
【請求項４】  物体側から順に、正の第１群と正の第２群と負の第３群とを有し、前記第２群が絞りを有し、前記絞りより物体側の前群と像側の正の後群とよりなり、前記第３群の最も物体側のレンズ面は物体側に凹面を向け、広角端より望遠端への変倍の際に各群を物体側へ移動するレンズ系で、下記条件（２）、（３）、（５）を満足する小型高変倍ズームレンズを備えたカメラ。
（２）  ２．６≦ｆ１／｜ｆ３｜≦４．５
（３）  ０．３５≦｜ｆ３｜／ｆ２≦０．６３
（５）  ０．４５≦｜Ｒ３ｆ｜／ｈ≦７．０
ただし、ｆ１、ｆ２、ｆ３は夫々第１群、第２群、第３群の焦点距離、Ｒ３ｆは第３群の最も物体側の面の曲率半径、ｈは最大像高である。
【請求項５】  物体側から順に、正の第１群と正の第２群と負の第３群とよりなり、広角端から望遠端への変倍の際に各群が物体側へ移動し、そのうち第１群と第３群とは一体に移動するレンズ系で、下記条件（２）、（３）を満足する小型高変倍ズームレンズを備えたカメラ。
（２）  ２．６≦ｆ１／｜ｆ３｜≦４．５
（３）  ０．３５≦｜ｆ３｜／ｆ２≦０．６３
ただし、ｆ１、ｆ２、ｆ３は夫々第１群、第２群、第３群の焦点距離である。
【請求項６】  特許請求の範囲の請求項１、２、３、４または５に記載するレンズ系で、下記条件（７）を満足することを特徴とする小型高変倍ズームレンズを備えたカメラ。
（７）  ５．６≦ｆＴ×（ｆ１＋ｆ２−ｈ）／（ｆ１×ｆ２）≦１２．５
【請求項７】  特許請求の範囲の請求項３、４または５に記載するレンズ系で、下記条件（１）を満足する小型高変倍ズームレンズを備えたカメラ。
（１）  ０．５５≦ＬＴ／ｆＴ≦０．７５
【請求項８】  特許請求の範囲の請求項１、３または５に記載するレンズ系で、下記条件（５）を満足することを特徴とする小型高変倍ズームレンズを備えたカメラ。
（５）  ０．４５≦｜Ｒ３ｆ｜／ｈ≦７．０
【請求項９】  特許請求の範囲の請求項２に記載するレンズ系で、下記条件（２）を満足することを特徴とする小型高変倍ズームレンズを備えたカメラ。
（２）  ２．６≦ｆ１／｜ｆ３｜≦４．５
ただし、ｆ１、ｆ３は夫々第１群、第３群の焦点距離である。
【請求項１０】  特許請求の範囲の請求項２に記載するレンズ系で、下記条件（３）を満足することを特徴とする小型高変倍ズームレンズを備えたカメラ。
（３）  ０．３５≦｜ｆ３｜／ｆ２≦０．６３
ただし、ｆ２、ｆ３は夫々第２群、第３群の焦点距離である。
【請求項１１】  特許請求の範囲の請求項２または５に記載するレンズ系で、下記条件（４）を満足することを特徴とする小型高変倍ズームレンズを備えたカメラ。
（４）  ０．７３≦ｆ２Ｒ／ｈ≦１．５０
ただし、ｆ２Ｒは第２群の後群の焦点距離である。
【請求項１２】  特許請求の範囲の請求項１、４または５に記載するレンズ系で、下記条件（６）を満足することを特徴とする小型高変倍ズームレンズを備えたカメラ。
（６）  ０．２９≦（Ｒ２ｒ×Ｒ３ｆ）／ｈ2≦３．５
ただし、Ｒ２ｒは第２群の最も像側の面の曲率半径、Ｒ３ｆは第３群の最も物体側の面の曲率半径、ｈは最大像高である。
【請求項１３】  特許請求の範囲の請求項１、４または５に記載するレンズ系で、前記第２群中に開口絞りを有し、前記第２群が前記絞りより物体側の前群と像側の正の後群とよりなることを特徴とする小型高変倍ズームレンズを備えたカメラ。
【請求項１４】  特許請求の範囲の請求項１、２、３、４または５に記載するレンズ系で、下記条件（８）を満足することを特徴とする小型高変倍ズームレンズを備えたカメラ。
（８）  ０．８≦ｆ１／ｆ２≦２．７
【請求項１５】  特許請求の範囲の請求項１、２、３、４または５に記載するレンズ系で、前記第１群が物体側より順に、正レンズと負レンズとを有することを特徴とする小型高変倍ズームレンズを備えたカメラ。
【請求項１６】  特許請求の範囲の請求項１、２、３、４または５に記載するレンズ系で、前記第１群が物体側より順に、負レンズと正レンズとを有することを特徴とする小型高変倍ズームレンズを備えたカメラ。
【請求項１７】  特許請求の範囲の請求項１、２、３、４または５に記載するレンズ系で、下記条件（９）を満足することを特徴とする小型高変倍ズームレンズを備えたカメラ。
（９）  ０．０５≦｜Ｇ３Σｄ／ｆ３｜≦０．６９
ただしＧ３Σｄは第３群の厚さ（最も物体側面から最も像側の面までの距離）である。
【請求項１８】  特許請求の範囲の請求項１、２、３、４または５に記載するレンズ系で、下記条件（８−１）を満足することを特徴とする小型高変倍ズームレンズを備えたカメラ。
（８−１）  １．５≦ｆ１／ｆ２≦２．７
【請求項１９】  特許請求の範囲の請求項１、２、３、４または５に記載するレンズ系で、下記条件（８−２）を満足することを特徴とする小型高変倍ズームレンズを備えたカメラ。
（８−２）  １．０≦ｆ１／ｆ２≦１．９
【請求項２０】  特許請求の範囲の請求項１、２、３、４または５に記載するレンズ系で、下記条件（１０）を満足することを特徴とする小型高変倍ズームレンズを備えたカメラ。
（１０）  ０．４８≦｜ｆ３｜／ｈ≦０．８９
【請求項２１】  特許請求の範囲の請求項１、２、３、４または５に記載するレンズ系で、下記条件（１１）を満足することを特徴とする小型高変倍ズームレンズを備えたカメラ。
（１１）  ７．０≦ｆＴ／｜ｆ３｜≦２５．０
【請求項２２】  特許請求の範囲の請求項１、２、３または４に記載するレンズ系で、変倍時第１群と第３群とが一体に移動することを特徴とする小型高変倍ズームレンズを備えたカメラ。
【請求項２３】  特許請求の範囲の請求項１、２、３、４または５に記載するレンズ系で、下記条件（１２）を満足することを特徴とする小型高変倍ズームレンズを備えたカメラ。
（１２）  ０．１３≦Ｌ／ｈ≦１．２
ただし、Ｌは開口絞りの中心から第２群の最も物体側の面頂までの距離あるいは開口絞りの中心から第２群の最も像側の面頂までの距離のうちの長い方の距離である。
【請求項２４】  特許請求の範囲の請求項１に記載するレンズ系で、条件（１）、条件（２）、条件（３）、条件（４）のいずれか一つの条件または複数の条件に代えて下記条件（１−１）、（２−１）、（３−１）、（４−１）を満足することを特徴とする小型高変倍ズームレンズを備えたカメラ。
（１−１）  ０．５５≦ＬＴ／ｆＴ≦０．７１
（２−１）  ２．６≦ｆ１／｜ｆ３｜≦３．６
（３−１）  ０．４≦｜ｆ３｜／ｆ２≦０．６１
（４−１）  ０．７５≦ｆ２Ｒ／ｈ≦１．３
【請求項２５】  特許請求の範囲の請求項２に記載するレンズ系で、条件（１）、条件（５）、条件（６）のいずれか一つの条件または複数の条件に代えて下記条件（１−１）、条件（５−１）、条件（６−１）を満足することを特徴とする小型高変倍ズームレンズを備えたカメラ。
（１−１）  ０．５５≦ＬＴ／ｆＴ≦０．７１
（５−１）  ０．５２≦｜Ｒ３ｆ｜／ｈ≦５．０
（６−１）  ０．３≦（Ｒ２ｒ×Ｒ３ｆ）／ｈ2≦２．５
【請求項２６】  特許請求の範囲の請求項３に記載するレンズ系で、条件（２）、条件（３）、条件（４）のいずれか一つの条件または複数の条件に代えて下記条件（２−１）、条件（３−１）、条件（４−１）を満足することを特徴とする小型高変倍ズームレンズを備えたカメラ。
（２−１）  ２．６≦ｆ１／｜ｆ３｜≦３．６
（３−１）  ０．４≦｜ｆ３｜／ｆ２≦０．６１
（４−１）  ０．７５≦ｆ２Ｒ／ｈ≦１．３
【請求項２７】  特許請求の範囲の請求項４に記載するレンズ系で、条件（２）、条件（３）、条件（５）のいずれか一つの条件または複数の条件に代えて下記条件（２−１）、条件（３−１）、条件（５−１）を満足することを特徴とする小型高変倍ズームレンズを備えたカメラ。
（２−１）  ２．６≦ｆ１／｜ｆ３｜≦３．６
（３−１）  ０．４≦｜ｆ３｜／ｆ２≦０．６１
（５−１）  ０．５２≦｜Ｒ３ｆ｜／ｈ≦５．０
【請求項２８】  特許請求の範囲の請求項１に記載するレンズ系で、条件（２）、条件（３）のいずれか一つの条件または両条件に代えて下記条件（２−１）、条件（３−１）を満足することを特徴とする小型高変倍ズームレンズを備えたカメラ。
（２−１）  ２．６≦ｆ１／｜ｆ３｜≦３．６
（３−１）  ０．４≦｜ｆ３｜／ｆ２≦０．６１
【請求項２９】  特許請求の範囲の請求項１、３または４に記載するレンズ系で、下記条件（１３）を満足することを特徴とする小型高変倍ズームレンズを備えたカメラ。
（１３）  １．０≦ｆ２Ｒ／ｄ２ＦＲ≦２０
ただし、ｆ２Ｒは第２群の後群の焦点距離、ｄ２ＦＲは前群と後群の空気間隔である。
【請求項３０】  特許請求の範囲の請求項２または５に記載するレンズ系で、第２群が物体側の前群とこの前群から空気間隔をおいて像側に配置した正の後群とにて構成され、下記条件（１３）を満足することを特徴とする小型高変倍ズームレンズを備えたカメラ。
（１３）  １．０≦ｆ２Ｒ／ｄ２ＦＲ≦２０
ただし、ｆ２Ｒは第２群の後群の焦点距離、ｄ２ＦＲは前群と後群の空気間隔である。
【請求項３１】  前記の（２４）または（２５）に記載するレンズ系で、条件（１３）の代わりに下記条件（１３−１）を満足することを特徴とするズームレンズ。
（１３−１）  １．５≦ｆ２Ｒ／ｄ２ＦＲ≦１０
ただし、ｆ２Ｒは第２群の後群の焦点距離、ｄ２ＦＲは前群と後群の空気間隔である。